(57)【要約】【課題】キートップの押圧操作時の高いクリック感を維持しつつ、クリック感を発生させるためのクリック部材の耐久性を高く保つことのできる押釦スイッチ用部材を提供する。【解決手段】キートップ２の押圧凸部９の先端部はカバー部材６を貫通してカバー部材６の下面に突出しており、押圧凸部９の先端部とクリック部材３との間に弾性部材１２を介在させている。【選択図】  図１
2004247160.tif 000002
【特許請求の範囲】
【請求項１】
基板上に配設された固定接点を覆うことのできる弾性を有するカバー部材と、該カバー部材の上面に配置固定される下面に押圧凸部を形成したキートップと、前記押圧凸部の先端部に配置されたクリック感を発生するクリック部材と、を有する押釦スイッチ用部材であって、
前記押圧凸部の先端部は前記カバー部材を貫通して前記カバー部材の下面に突出しており、前記押圧凸部の先端部と前記クリック部材との間に弾性部材が介在していることを特徴とする押釦スイッチ用部材。
【請求項２】
基板上に配設された固定接点を覆うことのできる弾性を有するカバー部材と、該カバー部材の上面に配置固定される下面に押圧凸部を形成したキートップと、前記押圧凸部の先端部に配置されたクリック感を発生するクリック部材と、を有する押釦スイッチ用部材であって、
前記押圧凸部の先端部と前記クリック部材との間に、前記カバー部材の一部が介在していることを特徴とする押釦スイッチ用部材。
【請求項３】
前記カバー部材には、前記押圧凸部が嵌合する凹部を有することを特徴とする請求項２に記載の押釦スイッチ用部材。
【請求項４】
前記押圧凸部の外周面には、平面から見て放射状に突設する突起を有することを特徴とする請求項３に記載の押釦スイッチ用部材。
【請求項５】
前記凹部の内周面には、平面から見て放射状に突設する突起を有することを特徴とする請求項３に記載の押釦スイッチ用部材。
【請求項６】
前記凹部には、前記カバー部材の内部に配設される発光源から光を導入する切り欠き部が設けられていることを特徴とする請求項３に記載の押釦スイッチ用部材。
【請求項７】
前記クリック部材が導電性材料であることを特徴とする請求項１乃至６のいずれか一つに記載の押釦スイッチ用部材。
【発明の詳細な説明】
【０００１】
【発明の属する技術分野】
この発明は、電卓、携帯電話、リモコン、ＯＡ機器等の各種分野の入力装置に組み込まれる押釦スイッチの部品としての押釦スイッチ用部材に関するものであって、より詳しくは、押釦スイッチのキートップの押圧操作時に高い操作感が得られる押釦スイッチ用部材に関するものである。
【０００２】
【従来の技術】
従来、電卓、携帯電話、リモコン、ＯＡ機器等の各種分野の入力装置に組み込まれる押釦スイッチとしては、繰り返し動作に耐え得るように、押圧操作の入力部に当たるキートップと、キートップが押し下げられた位置から元の位置へ復元させるための復帰手段とを有しているものが使用されている。
【０００３】
そして、小型軽量を目的とする押釦スイッチにあっては、例えば、キートップとこのキートップの支持部とをシリコーンゴムにて一体成形して、支持部の弾性復元力をキートップの復帰手段として採用する押釦スイッチ用部材が多用されている。しかしながら、このシリコーンゴム一体型の押釦スイッチ用部材にあっては、指に触れるキートップの押圧面がシリコーンゴムの弾性材料であるため、肌触りが柔らかく、堅い肌触りを好む場合には採用されなかった。
【０００４】
キートップの肌触りが堅いものを好む場合には、例えば、シリコーンゴムの支持部に、ポリカーボネート等の硬質樹脂にて成形したキートップを固定するようにした押釦スイッチ用部材が採用されている。
【０００５】
また、キートップの押圧操作時に、その操作に対応したスイッチ機能が実現されたことを実感できる操作感が得られるように、キートップの一部に押圧凸部を設けるとともに、この押圧凸部が接触できる位置にクリック感を発生させることのできるクリック部材を設けた押釦スイッチ用部材も多用されている。
【０００６】
そこで、硬質樹脂製のキートップとシリコーンゴム製の支持部とからなる押釦スイッチ用部材に押圧操作時のクリック感を生じさせるクリック部材を付加することも可能である。
【０００７】
このようなものとして、図７に示したようなものが知られている（例えば、特許文献１を参照。）。
【０００８】
キートップ３０と対向して配置される基板３１の上には、予め固定接点３２が配設されている。固定接点３２の上面側には、キートップ３０が押し下げられない状態では固定接点３２と接触せず、キートップ３０が押し下げられた状態で固定接点３２と接触し得る金属製の逆椀状をした弾性接点部材３３が、その下端面を基板３１に接触させた状態に設けられている。
【０００９】
一方、弾性接点部材３３を囲うようにして基板３１の上に設置される支持壁３４と、この支持壁３４の上端部をつなぐ弾性薄膜部３５と、この弾性薄膜部３５の上面の中央部にキートップ３０が載置される座面３６とを備えたカバー部材３７を有している。
【００１０】
カバー部材３７の座面３６の中央部には、挿通孔３８が設けられている。キーットップ３０は、その上面を指が触れる押圧面３９とし、下面にはカバー部材３７の座面３６と接触する固定面４０と、この固定面４０から下方に突出した押圧凸部４１とを有している。キートップ３０の押圧凸部４１は、カバー部材３７の挿通孔３８に入れられカバー部材３７の座面３６からその先端部が突出し、その先端部は弾性接点部材３３の頂点部に接触している。
【００１１】
これにより、キートップ３０の押圧面３９を指で押し下げると、キートップ３０の押圧凸部４１が下降し、これに伴い押圧凸部４１の先端部が弾性接点部材３３の頂点部を押し下げることになり、ついには弾性接点部材３３の頂点部の反りが反転して椀状になって固定接点３２と接触し、弾性接点部材３３と固定接点３２とが導通状態になる。
【００１２】
その後、キートップ３０の押圧面３９から指を離すと、弾性接点部材３３及びカバー部材３７の弾性薄膜部３５の弾性復元力により弾性接点部材３３及び弾性薄膜部３５が元の形状に戻るとともに、弾性接点部材３３の頂点部がキートップ３０の押圧凸部４１の先端部を押し上げることでキートップ３０が元の位置に復帰することとなる。
【００１３】
【特許文献１】
特開２００２−１７０４５９号公報（第１図）。
【００１４】
【発明が解決しようとする課題】
しかしながら、この硬質樹脂製のキートップの押圧凸部の先端部で弾性接点部材を直接押圧するものにあっては、押圧操作時に高いクリック感が得られるものの、弾性接点部材の反りが反転する際に生じる押圧凸部の弾性接点部材に与える衝撃力が直接伝わるため、繰り返し使用した場合に、弾性接点部材の耐久性を損ねることとなっていた。
【００１５】
そこで、この発明は、以上のような従来の技術の問題点を解消すべく、キートップの押圧操作時の高いクリック感を維持しつつ、クリック感を発生させるためのクリック部材の耐久性を高く保つことのできる押釦スイッチ用部材を提供することを課題とする。
【００１６】
【課題を解決するための手段】
以上のような課題を解決すべく、請求項１に記載の発明は、基板上に配設された固定接点を覆うことのできる弾性を有するカバー部材と、該カバー部材の上面に配置固定される下面に押圧凸部を形成したキートップと、前記押圧凸部の先端部に配置されたクリック感を発生するクリック部材と、を有する押釦スイッチ用部材であって、前記押圧凸部の先端部は前記カバー部材を貫通して前記カバー部材の下面に突出しており、前記押圧凸部の先端部と前記クリック部材との間に弾性部材が介在していることを特徴としている。
【００１７】
請求項２に記載の発明は、基板上に配設された固定接点を覆うことのできる弾性を有するカバー部材と、該カバー部材の上面に配置固定される下面に押圧凸部を形成したキートップと、前記押圧凸部の先端部に配置されたクリック感を発生するクリック部材と、を有する押釦スイッチ用部材であって、前記押圧凸部の先端部と前記クリック部材との間に、前記カバー部材の一部が介在していることを特徴としている。
【００１８】
請求項３に記載の発明は、請求項３に記載の構成に加えて、前記カバー部材には、前記押圧凸部が嵌合する凹部を有することを特徴としている。
【００１９】
請求項４に記載の発明は、請求項３に記載の構成に加えて、前記押圧凸部の外周面には、平面から見て放射状に突設する突起を有することを特徴としている。
【００２０】
請求項５に記載の発明は、請求項３に記載の構成に加えて、前記凹部の内周面には、平面から見て放射状に突設する突起を有することを特徴としている。
【００２１】
請求項６に記載の発明は、請求項３に記載の構成に加えて、前記凹部には、前記カバー部材の内部に配設される発光源から光を導入する切り欠き部が設けられていることを特徴としている。
【００２２】
請求項７に記載の発明は、請求項１乃至６のいずれか一つに記載の構成に加えて、前記クリック部材が導電性材料であることを特徴としている。
【００２３】
【発明の実施の形態】
［発明の実施の形態１］
以下、この発明の実施の形態１を図１に従って詳細に説明する。
【００２４】
まず、この発明の実施の形態１に係る押釦スイッチ用部材の構成と作用について説明する。
【００２５】
図１は、この発明の実施の形態１に係る押釦スイッチ用部材の要部断面図である。
【００２６】
電卓、携帯電話、リモコン、ＯＡ機器等の各種分野の入力装置に組み込まれる押釦スイッチは、機器本体の筐体の一部又は入力装置の筐体に組み込まれる基板１に取り付けられる。
【００２７】
基板１の上には、キートップ２側に配置される弾性接点部材３と接触し得る固定接点４が配設されており、この固定接点４を覆うことのできる弾性を有するカバー部材５を設けることにより、弾性接点部材３と固定接点４との間に導通傷害を起こすような塵埃等が侵入することがないようにしている。
【００２８】
カバー部材５には、弾性接点部材３を囲うようにして基板１の上に設置される支持壁６と、この支持壁６の上端部をつなぐ弾性薄膜部７とを有している。弾性薄膜部７の上面は、キートップ２を配置固定するための平らな座面８を形成している。弾性薄膜部７の上面の中央部にはキートップ２の下面に形成した押圧凸部９が挿通する挿通孔１０が設けられている。キートップ２は、押圧凸部９を除いた下面で接着剤１１を介してカバー部材５の座面８に固定されている。したがって、弾性薄膜部７に設けられている挿通孔１０は、カバー部材５にキートップ２を固定することによって、完全に塞がるので外部から塵埃等が侵入することはない。
【００２９】
カバー部材５の材料は、ポリブタジエン、ポリイソプレン、ＳＢＲ、ネオプレン等のジエン系合成ゴム、或いは、エチレン−プロピレン系、ウレタン系、シリコーン系等の合成ゴム、又は、これらの組み合わせから作られたものとすればよいが、耐熱性、耐候性、電気絶縁性が優れているシリコーンゴムが望ましい。
【００３０】
キートップ２の押圧凸部９の下側、つまり、基板１の上の固定接点４の上面側には、キートップ２が押し下げられない状態では固定接点４と接触せず、キートップ２が押し下げられた状態で固定接点４と接触し得る金属製の逆椀状をした弾性接点部材３が設けられている。具体的には、キートップ２を押し下げる前の状態で、逆椀状をした弾性接点部材３の下端面が基板１と接触するといった位置関係となるよう、弾性接点部材３の全高、キートップ２の押圧凸部９の全高、カバー部材５の全高が決められている。弾性接点部材３は基板１の上に固定されるか、押圧凸部９の先端部に固定されるが、弾性接点部材３の頂点部と押圧凸部９の先端部との間には、ゴム製シートからなる弾性部材１２を介在させている。図示した実施の形態１では、押圧凸部９の先端部にゴム製シートからなる弾性部材１２を接着剤（図示せず）で固定している。
【００３１】
キートップ２の材料やその色調については、特に限定はないが、例えば、ポリカーボネート樹脂、ポリメチルメタアクリレート樹脂、スチレン系樹脂、アクリル系樹脂、ポリオレフィン系樹脂、ＡＢＳ樹脂、ポリエステル系樹脂、エポキシ系樹脂、ポリウレタン系樹脂、ポリアミド樹脂、シリコーン系樹脂等が挙げられる。
【００３２】
キートップ２の押圧面１３に文字、記号、数字、絵柄等の表示部を印刷等により形成したり、キートップ２の下面を除く外表面に遮光塗料を塗布し、押圧面１３の遮光塗料を文字、記号、数字、絵柄等の形状に切除して表示部を形成するようにしてもよい。さらに、表示部を保護するために表示部の上に保護層を形成してもよい。また、キートップ２の下面を除く外表面にメッキ層を形成して高級感を持たせることも可能である。
【００３３】
実施の形態１は、以上のような構成を有しているため、押釦スイッチを操作する場合には、硬質樹脂製のキーットップ２の押圧面１３に指を宛い、キートップ２の押圧面１３を押し下げると、キートップ２の押圧凸部９が下降し、これに伴い押圧凸部９の先端部が弾性部材１２を介して弾性接点部材３の頂点部を押し下げることになり、ついには弾性接点部材３の頂点部の反りが反転してその中央部が椀状に変形して固定接点４と接触し、弾性接点部材３と固定接点４とが導通状態になる。
【００３４】
弾性接点部材３が固定接点４に接触する直前でその頂点部の反りが反転する際にキートップ２に与えている押圧力が急激に低下することとなり、その際にキートップ２を操作している指には高いクリック感が伝わることとなる。つまり、実施の形態１では、弾性接点部材３は金属等の導電性材料で製作されており、クリック感を発生するクリック部材としても機能するものである。したがって、弾性接点部材３とクリック感を発生させるクリック部材とを別々の部品として用意する場合に比べて、コスト低減ができる。
【００３５】
その後、キートップ２の押圧面１３から指を離すと、弾性接点部材３及びカバー部材５の弾性薄膜部７の弾性復元力により弾性接点部材３及び弾性薄膜部７が元の形状に戻るとともに、弾性接点部材３の頂点部がキートップ２の押圧凸部９の先端部を押し上げることでキートップ２が元の位置に復帰することとなる。
【００３６】
実施の形態１に係る押釦スイッチ用部材では、キートップ２を押し下げた場合に、押圧凸部９の先端部が弾性部材１２を介して弾性接点部材３の頂点部を押し下げるため、押圧凸部９が弾性接点部材３の頂点部の反りを反転させてその中央部が固定接点４と接触する際に生じる衝撃力が、弾性部材１２によって緩和される。したがって、硬質樹脂製の押圧凸部９が直接弾性接点部材３を押圧する場合に比べて、弾性接点部材３に与える衝撃力が小さくなるから、押釦スイッチを繰り返し使用する場合であっても、弾性接点部材３の耐久性を維持することができる。
【００３７】
ゴム製シートからなる弾性部材１２は、キートップ２の押圧凸部９がクリック部材である弾性接点部材３に与える衝撃力を緩和するためのものであって、弾性変形の度合いによりその緩衝性能が変化する。弾性変形が大きすぎるとクリック感が減衰されてしまい、弾性変形が小さすぎるとクリック部材である弾性接点部材３への衝撃力を下げることができない。そこで、弾性変形の度合いをゴム硬度と厚みという観点から考えた場合には、ゴム硬度として３０〜８０度（ＪＩＳＡ硬度）、より好ましくは、４０〜６０度であって、その厚みは成形性、加工性の点で０．２ｍｍ以上であり、高いクリック感を維持する点で０．５ｍｍ以下のものを使用することが望ましい。
【００３８】
［発明の実施の形態２］
図２は、この発明の実施の形態２に係る押釦スイッチ用部材の要部断面図である。
【００３９】
実施の形態２では、実施の形態１と異なり、カバー部材５の弾性薄膜部７には、押圧凸部９が嵌合する凹部１４を有している。カバー部材５の弾性薄膜部７に設けた凹部１４の内側底面は、押圧凸部９の先端部と接触する位置関係となっており、凹部１４の外側の先端部は弾性接点部材３の頂点部と接触している。したがって、実施の形態２にあっては、押圧凸部９の先端部と弾性接点部材３の頂点部との間に弾性部材である弾性薄膜部７が介在している。
【００４０】
これにより、実施の形態２に係る押釦スイッチ用部材では、キートップ２を押し下げた場合に、押圧凸部９の先端部が弾性部材である弾性薄膜部７を介して弾性接点部材３の頂点部を押し下げるため、押圧凸部９が弾性接点部材３の頂点部の反りを反転させてその中央部が固定接点４と接触する際に生じる衝撃力が、弾性部材である弾性薄膜部７によって緩和される。したがって、硬質樹脂製の押圧凸部９が直接弾性接点部材３を押圧する場合に比べて、弾性接点部材３に与える衝撃力が小さくなるから、押釦スイッチを繰り返し使用する場合であっても、弾性接点部材３の耐久性を維持することができる。
【００４１】
押圧凸部９の外周面と凹部１４の内周面とは互いに密着できる平滑な面であってもよいが、より好ましくは、図３及び図４の一部断面とした正面図並びに押圧凸部と凹部との横断面図である図５及び図６に示したように、押圧凸部９の外周面に平面から見て放射状に突設する突起１５ａを形成するか、凹部１４の内周面に平面から見て放射状に突設する突起１５ｂを形成するとよい。
【００４２】
図５及び図６の押圧凸部と凹部との横断面図から明らかなように、押圧凸部９の外周面に配置された突起１５ａと突起１５ａとの間、又は凹部１４の内周面に配置された突起１５ｂと突起１５ｂとの間には、僅かな間隙１６ａ，１６ｂが生じることになる。そこで、キートップ２をカバー部材５に接着する場合に、キートップ２の底面１７とカバー部材５の弾性薄膜部７との間に接着剤１１を塗布する際に、接着剤１１の塗布量が多すぎた場合でも余分な接着剤１１が間隙１６ａ，１６ｂに侵入することで、キートップ２の外周部からはみ出すこともなく、適正な接着剤１１の量を維持することができる。よって、従来、キートップ２の外周部から接着剤１１がはみ出すことを恐れる余り、接着剤１１の量を少な目に調整して接着力の低下を招いていたが、突起１５ａ，１５ｂを設けることにより、この問題も解消することになる。
【００４３】
また、僅かな面積を有する突起１５ａ，１５ｂの外周面を加工することで、押圧凸部９と凹部１４とのはめあいの具合を調整することが可能となるため、その寸法精度が確保し易くなりキートップ２又はカバー部材５の成形金型の製造コストが低減できる。
【００４４】
さらに、突起１５ａ，１５ｂのない場合には、押圧凸部９の外周面と凹部１４の内周面とが密着する程度のはめあいとするため、凹部１４へ押圧凸部９をはめ込む際に摩擦力が作用して組み立てし難い。これに対して、突起１５ａ，１５ｂがある場合には、押圧凸部９と凹部１４とに作用する摩擦力は僅かであるから、組立が容易なものとなる。
【００４５】
なお、突起１５ａ，１５ｂの形状は、部分的に隆起した半球状、長手方向に一様な断面を有する畝状のものでよく、これらに限定されることはない。
【００４６】
凹部１４には、必要に応じて、カバー部材５の内部に配設される発光源１８からの光をキートップ２内に導入する切り欠き部１９を設けるようにしてもよい。これにより、カバー部材５に遮光性を付与することで、発光源１８から光を効果的にキートップ２内に導入することができるから、押釦スイッチを暗がりで使用する場合にキートップ２を明るく照らし出すことができる。
【００４７】
その他の構成及び作用は、実施の形態１と同様であり、同一の構成には同一の符号を付して、その説明を省略する。
【００４８】
なお、実施の形態１にあっては押圧凸部９の先端部と弾性接点部材３の頂点部との間にゴム製シートの弾性部材１２を介在し、実施の形態２にあっては押圧凸部９の先端部と弾性接点部材３の頂点部との間にカバー部材５に設けた凹部１４の先端部の弾性薄膜部７が介在している例について説明した。しかしながら、この発明はこれらに限らず、キートップ２の押圧凸部９の先端部とクリック感を発生するクリック部材との間に、押圧凸部９がクリック部材に与える衝撃力を緩和することのできる弾性部材が介在していればよく、例えば、カバー部材５に押圧凸部９が嵌合する凹部１４を設けることなく、カバー部材１６の一部（例えば、弾性薄膜部７）を直接弾性部材として押圧凸部９の先端部と弾性接点部材３の頂点部との間に介在させるようにしてもよい。
【００４９】
［実施例１］
実施例１として、この発明の実施の形態１に係る押釦スイッチ用部材を以下のとおり製作した。
【００５０】
シリコーンコンパウンド（ＫＥ−９５１Ｕ、信越化学工業（株）製）１００重量部と、架橋材（Ｃ−８Ｂ、信越化学工業（株）製）０．５重量部からなる原料を、成形温度１８０℃、成形時間５分、成形圧力１０ｋｇ／ｃｍ２の条件で圧縮成形し、キートップ２の押圧凸部９の断面形状をした挿通孔１０が形成されたシリコーンゴム製カバー部材５を成形し、その後２００℃、６０分で熱処理をした。
【００５１】
また、これと同じ成形条件及び熱処理条件にて直径３ｍｍ、厚み０．２ｍｍのシリコーンゴム製シートからなる弾性部材１２を製作した。
【００５２】
ポリカーボネート樹脂（ユーピロン、Ｈ−３０００Ｒ、三菱エンジニアリングプラスチック（株）製）を射出成形により、下面に直径３ｍｍの押圧凸部９を形成したキートップ２を製作した。
【００５３】
次に、シリコーンゴム製カバー部材５とシリコーンゴム製シートの弾性部材１２とを紫外線照射炉（ＶＵＭ−３０７３−Ｂ、（株）オーク製作所製）にて、１８４．９ｎｍ及び２５３．７ｎｍの両波長の紫外線を１２００ｍＪ／ｃｍ２の条件で照射した。さらに、それぞれについて、紫外線を照射した表面にプライマー（ケムロック６０７、ロード・ファー・イースト・インコーポレイテッド製）５０ｗｔ％とメタノール５０ｗｔ％との混合物２０ｇをスプレー法にて塗布した。
【００５４】
以上の表面処理を施したシリコーンゴム製カバー部材５と射出成形されたキートップ２とを紫外線硬化型接着剤（ケミシール５Ｘ８４５Ｃ、ケミテック（株）製）により接着して一体化した。同様に、キートップ２の押圧凸部９の先端部にシリコーンゴム製シートの弾性部材１２を接着し一体化した。
【００５５】
この実施例１に係る押釦スイッチ用部材を、固定接点４とこの固定接点と対向する弾性接点部材３が配設されている基板１の上に取り付けて、キートップ２の押圧凸部９が弾性部材１２を介してクリック部材としての弾性接点部材３の頂点部と接触した状態で、キートップ２の押圧面１３を指で押し下げる押圧操作を繰り返したところ、押圧面１３に触れている指に高いクリック感が得られた。
【００５６】
［実施例２］
実施例２として、この発明の実施の形態２に係る押釦スイッチ用部材を以下のとおり製作した。
【００５７】
シリコーンコンパウンド（ＫＥ−９５１Ｕ、信越化学工業（株）製）１００重量部と、架橋材（Ｃ−８Ｂ、信越化学工業（株）製）０．５重量部からなる原料を、成形温度１８０℃、成形時間５分、成形圧力１０ｋｇ／ｃｍ２の条件で圧縮成形し、キートップ２の押圧凸部９が嵌合する凹部１４を有するシリコーンゴム製カバー部材５を成形し、その後２００℃、６０分で熱処理をした。ちなみに、凹部１４の肉厚は０．２ｍｍとした。
【００５８】
ポリカーボネート樹脂（ユーピロン、Ｈ−３０００Ｒ、三菱エンジニアリングプラスチック（株）製）を射出成形により、下面に直径３ｍｍの押圧凸部９を形成したキートップ２を製作した。
【００５９】
次に、シリコーンゴム製カバー部材５とシリコーンゴム製シートの弾性部材１２とを紫外線照射炉（ＶＵＭ−３０７３−Ｂ、（株）オーク製作所製）にて、１８４．９ｎｍ及び２５３．７ｎｍの両波長の紫外線を１２００ｍＪ／ｃｍ２の条件で照射した。さらに、それぞれについて、紫外線を照射した表面にプライマー（ケムロック６０７、ロード・ファー・イースト・インコーポレイテッド製）５０ｗｔ％とメタノール５０ｗｔ％との混合物２０ｇをスプレー法にて塗布した。
【００６０】
以上の表面処理を施したシリコーンゴム製カバー部材５と射出成形されたキートップ２とを紫外線硬化型接着剤（ケミシール５Ｘ８４５Ｃ、ケミテック（株）製）により接着して一体化した。
【００６１】
この実施例２に係る押釦スイッチ用部材を、固定接点４とこの固定接点と対向する弾性接点部材３が配設されている基板１の上に取り付けて、キートップ２の押圧凸部９がカバー部材５の凹部１４の底面部を介してクリック部材としての弾性接点部材３の頂点部と接触した状態で、キートップ２の押圧面１３を指で押し下げる押圧操作を繰り返したところ、押圧面１３に触れている指に高いクリック感が得られた。
【００６２】
【発明の効果】
以上説明したように、請求項１に記載の発明によれば、押圧凸部の先端部はカバー部材を貫通してカバー部材の下面に突出しており、押圧凸部の先端部とクリック部材との間に弾性部材が介在しているので、キートップを押し下げた場合に、押圧凸部の先端部が弾性部材を介してクリック部材の頂点部を押し下げるため、押圧凸部がクリック部材の頂点部の反りを反転させてその中央部が固定接点と接触する際に生じる衝撃力が緩和される。したがって、硬質樹脂製の押圧凸部が直接クリック部材を押圧する場合に比べて、クリック部材に与える衝撃力が小さくなるから、押釦スイッチを繰り返し使用する場合であっても、クリック部材の耐久性を維持することができる。
【００６３】
請求項２に記載の発明によれば、押圧凸部の先端部とクリック部材との間に、カバー部材の一部が介在しているので、キートップを押し下げた場合に、押圧凸部の先端部がカバー部材の一部を介してクリック部材の頂点部を押し下げるため、押圧凸部がクリック部材の頂点部の反りを反転させてその中央部が固定接点と接触する際に生じる衝撃力が緩和される。したがって、硬質樹脂製の押圧凸部が直接クリック部材を押圧する場合に比べて、クリック部材に与える衝撃力が小さくなるから、押釦スイッチを繰り返し使用する場合であっても、クリック部材の耐久性を維持することができる。
【００６４】
請求項３に記載の発明によれば、カバー部材には押圧凸部が嵌合する凹部を有するので、カバー部材にキートップを接着する際に凹部がキートップの押圧凸部と組み合わされることで、キートップの位置決が自動的に行われるため、請求項２に記載の発明の効果に加えて、組み立て治具等を必要としないでカバー部材にキートップを固定することができる。
【００６５】
請求項４に記載の発明によれば、押圧凸部の外周面には、平面から見て放射状に突設する突起を有するので、押圧凸部とカバー部材の凹部との間に間隙が形成され、この間隙に余分な接着剤が侵入することができるため、請求項３に記載の発明の効果に加えて、キートップの外周部から接着剤がはみ出すこともなく、適正な接着剤の量を維持することができる。したがって、キートップの外周から接着剤がはみ出すことを恐れる余り、接着剤の量を少な目に調整して接着力の低下を招くようなこともなくなる。
【００６６】
請求項５に記載の発明によれば、凹部の内周面には平面から見て放射状に突設する突起を有するので、押圧凸部とカバー部材の凹部との間に間隙が形成され、この間隙に余分な接着剤が侵入することができるため、請求項３に記載の発明の効果に加えて、キートップの外周部から接着剤がはみ出すこともなく、適正な接着剤の量を維持することができる。したがって、キートップの外周から接着剤がはみ出すことを恐れる余り、接着剤の量を少な目に調整して接着力の低下を招くようなこともなくなる。
【００６７】
請求項６に記載の発明によれば、凹部にはカバー部材の内部に配設される発光源から光を導入する切り欠き部が設けられているので、カバー部材に遮光性を付与することで、発光源から光を効果的にキートップ内に導入することができるから、請求項３に記載の発明の効果に加えて、押釦スイッチを暗がりで使用する場合にキートップを明るく照らし出すことができる。
【００６８】
請求項７に記載の発明によれば、クリック部材が導電性材料であるので、請求項１乃至６のいずれか一つに記載の発明の効果に加えて、固定接点と接触する接点部材とクリック感を発生させるクリック部材とを別々に用意する必要がないため、コスト低減が図れる。
【図面の簡単な説明】
【図１】この発明の実施の形態１に係る押釦スイッチ用部材の要部断面図である。
【図２】同実施の形態２に係る押釦スイッチ用部材の要部断面図である。
【図３】キートップの押圧凸部に突起を有する実施の形態２の一部破断した正面図である。
【図４】カバー部材の凹部に突起を有する実施の形態２の一部破断した正面図である。
【図５】図３のＡ−Ａに対応する拡大断面図である。
【図６】図４のＢ−Ｂに対応する拡大断面図である。
【図７】従来の押釦スイッチ用部材の要部断面図である。
【符号の説明】
１  基板
２  キートップ
３  弾性接点部材（クリック部材）
４  固定接点
５  カバー部材
６  支持壁
７  弾性薄膜部
９  押圧凸部
１０  挿通孔
１１  接着剤
１２  弾性部材
１４  凹部
１５ａ，１５ｂ  突起
１６ａ，１６ｂ  間隙
１７  底面
１８  発光源
１９  切り欠き
【図１】
2004247160.tif 000003
【図２】
2004247160.tif 000004
【図３】
2004247160.tif 000005
【図４】
2004247160.tif 000006
【図５】
2004247160.tif 000007
【図６】
2004247160.tif 000008
【図７】
2004247160.tif 000009